(57)【要約】【課題】簡単な構成と操作で正面位置に戻る表示装置回転台を提供することである。【解決手段】検出手段２０は、一端が固定台１１に固定される弾性体２０ａと、弾性体２０ａの他端に固定される突起部２０ｂと、突起部２０ｂの底面及び固定台１１にそれぞれ対向して設けられた一対のスイッチ機構２０ｃとを備え、被検出部２１は、突起部２０ｂの一部が嵌る穴であり、突起部２０ｂが穴以外の回転板１２に接している場合は、スイッチ機構２０ｃが互いに接触しており、正面位置の非検出状態であり、突起部２０ｂが穴に嵌った場合は、スイッチ機構２０ｃが互いに離れることによって、正面位置を検出し、リモコンの右スイングキー又は左スイングキーが２度押しされると、制御部は所定時間モータを駆動させ、その間に検出手段２０が被検出部２１を検出した場合、モータを停止させる構成とする。【選択図】図３
2008197298.tif 000002
【特許請求の範囲】
【請求項１】
固定台と、該固定台上に回転可能に設けられる回転板と、前記回転板に固定され表示装置を固定する支柱と、前記固定台と前記回転板の間に設けられたベアリング及びベアリングホルダと、該回転板を駆動するモータと、前記回転板に固定され前記モータからの駆動力を受けるギヤと、前記モータを制御する制御部と、該制御部へ操作入力するリモコンと、前記回転板を覆う回転カバーと、前記固定台を覆う固定カバーとを備えた表示装置回転台を有する表示装置において、
前記固定台に検出手段を、前記回転板に被検出部を、前記回転板が正面位置に来たときに前記検出手段が前記被検出部を検出するように設け、
前記検出手段は、一端が前記固定台に固定される弾性体と、該弾性体の他端に固定される突起部と、該突起部の底面及び前記固定台にそれぞれ対向して設けられた一対のスイッチ機構とを備え、
前記被検出部は、前記突起部の一部が嵌る穴であり、
前記突起部が前記穴以外の前記回転板に接している場合は、前記スイッチ機構が互いに接触しており、正面位置の非検出状態であり、
前記突起部が前記穴に嵌った場合は、前記スイッチ機構が互いに離れることによって、正面位置を検出し、
前記リモコンには、前記回転板を右方向に回転させるための右スイングキーと、前記回転板を左方向に回転させるための左スイングキーとが設けられ、
前記右スイングキー又は左スイングキーが２度押しされると、前記制御部は所定時間モータを駆動させ、その間に前記検出手段が前記被検出部を検出した場合、前記モータを停止させ、
前記所定時間で前記検出手段が前記被検出部を検出しなかった場合、前記所定時間だけ前記モータを逆回転させ、その間に前記検出手段が前記被検出部を検出した場合、前記モータを停止させることを特徴とする表示装置。
【請求項２】
固定台と、該固定台上に回転可能に設けられ表示装置が載置される回転板と、該回転板を駆動するモータと、該モータを制御する制御部と、該制御部へ操作入力する操作部とを備えた表示装置回転台において、
前記固定台又は前記回転板の一方に検出手段を、他方に被検出部を、前記回転板が正面位置に来たときに前記検出手段が前記被検出部を検出するように設け、
前記操作部が操作されて前記回転板を正面位置に向ける旨の指示があると、前記制御部は所定時間モータを駆動させ、その間に前記検出手段が前記被検出部を検出した場合、前記モータを停止させることを特徴とする表示装置回転台。
【請求項３】
前記所定時間で前記検出手段が前記被検出部を検出しなかった場合、前記所定時間だけ前記モータを逆回転させ、その間に前記検出手段が前記被検出部を検出した場合、前記モータを停止させることを特徴とする請求項２記載の表示装置回転台。
【請求項４】
前記操作部がリモコンであることを特徴とする請求項２又は３記載の表示装置回転台。
【請求項５】
前記操作部には、前記回転板を右方向に回転させるための右スイングキーと、前記回転板を左方向に回転させるための左スイングキーとが設けられ、
前記回転板を正面位置に向ける旨の指示は、前記右スイングキー又は左スイングキーの２度押しであることを特徴とする請求項２〜４の何れかに記載の表示装置回転台。
【請求項６】
前記検出手段を前記固定台に、前記被検出手段を前記回転板に設け、
前記検出手段は、一端が前記固定台に固定される弾性体と、該弾性体の他端に固定される突起部と、前記突起部の底面及び前記固定台にそれぞれ対向して設けられた一対のスイッチ機構とを備え、
前記被検出部は、前記突起部の一部が嵌る穴であり、
前記突起部が前記穴以外の前記回転板に接している場合は、前記スイッチ機構が互いに接触しており、正面位置の非検出状態であり、
前記突起部が前記穴に嵌った場合は、前記スイッチ機構が互いに離れることによって、正面位置を検出することを特徴とする請求項２〜５の何れかに記載の表示装置回転台。
【請求項７】
前記固定台と前記回転板の間に設けられたベアリング及びベアリングホルダと、
前記回転板に固定され前記モータからの駆動力を受けるギヤと、
前記回転板に固定され前記表示装置を固定する支柱と、
前記回転板を覆う回転カバーと、
前記固定台を覆う固定カバーと、を備えたことを特徴とする請求項２〜６の何れかに記載の表示装置回転台。
【請求項８】
請求項２〜７の何れかに記載の表示装置回転台を備えた表示装置。
【発明の詳細な説明】
【技術分野】
【０００１】
本発明は、表示装置を左右に回転させる表示装置回転台及びそれを備えた表示装置に関する。
【背景技術】
【０００２】
従来より、テレビやパソコンのディスプレイなどの表示装置を設置し、その表示装置を左右に回転させる回転台が知られている。また回転台が一体になった表示装置も提供されている。回転台の回転動作は手動又はリモコンなどの操作により自動で行われ、その動作を実現するための様々な手段や制御が提案されている。
【０００３】
例えば特許文献１に開示された回転台は、固定台上に画像表示装置が載置される回転片を左右に回転自在に設け、該回転片はモータ駆動され、モータはリモコンからの操作信号が入力される制御手段に接続されて回転駆動を制御される。固定台には、画像表示装置が正面を向く中心位置に応じて突起が設けられ、回転片には突起を検出するスイッチが設けられている。リモコンには、被回転体を中心位置に向ける旨の信号を発するスイーベル中央釦が設けられている。スイーベル中央釦が操作された際には、モータは制御手段によって回転され、スイッチは、回転片の回転時に、突起を検出すると、制御手段に対しモータの回転停止を促す信号を送る。
【０００４】
また特許文献２には、操作者の希望する回転位置データを記憶するメモリを設け、このメモリに所望の向きに回転させたときの回転位置データを書き込み、リモートコントロール送信機等からメモリ位置への回転指令を与えたとき、上記メモリから書き込まれているデータを読み出し、回転駆動装置を駆動してそのデータの位置に回転させる回転台装置が開示されている。
【０００５】
また特許文献３には、所定の表示を行うＣＲＴや液晶等の表示画面と、この表示画面を支持した支持部と、この表示画面を見る人の位置を検知する焦電センサ等のセンサ装置と、このセンサ装置からの信号により表示画面を見る人に向ける駆動装置とを設け、センサ装置は、複数の位置を各々検知するセンサ素子を有し、そのセンサ素子のうち人を検知した一つのセンサ素子に対応して駆動装置を作動させて、検知した人の向きに表示画面を設定する表示装置が開示されている。
【０００６】
また特許文献４には、パン方向に０°〜７２０°の範囲で回転可能とした回転台において、モータコントロール回路が現在の回転位置を認識しており、現在値が１８０°以下の場合にプリセットボタンの何れかが押された場合は、必ず右回転によってプリセット位置まで移動させ、現在値が５４０°以上の場合は必ず左回転によってプリセット位置まで移動させる回転台が開示されている。
【特許文献１】特開２００５−１０６８７７号公報
【特許文献２】特開平６−２３７４２６号公報
【特許文献３】特開２０００−２０００４７号公報
【特許文献４】特開２０００−２２４４６３号公報
【発明の開示】
【発明が解決しようとする課題】
【０００７】
上記の特許文献にも記載されているように、所定のボタンを操作すると自動で回転台が中央の位置に戻る機能がある。これにより、載置されている表示装置の向きを正面に戻すことができる。この機能を実現するためには正面位置を検出する部材や回路が必要となり、複雑な構成を採用すればコストが増大する。
【０００８】
本発明は、簡単な構成と操作で正面位置に戻すことができる表示装置回転台を提供することを目的とする。また、この表示装置回転台を備えた表示装置を提供することも目的とする。
【課題を解決するための手段】
【０００９】
上記目的を達成するために本発明は、固定台と、該固定台上に回転可能に設けられ表示装置が載置される回転板と、該回転板を駆動するモータと、該モータを制御する制御部と、該制御部へ操作入力する操作部とを備えた表示装置回転台において、前記固定台又は前記回転板の一方に検出手段を、他方に被検出部を、前記回転板が正面位置に来たときに前記検出手段が前記被検出部を検出するように設け、前記操作部が操作されて前記回転板を正面位置に向ける旨の指示があると、前記制御部は所定時間モータを駆動させ、その間に前記検出手段が前記被検出部を検出した場合、前記モータを停止させることを特徴とする。
【００１０】
上記の表示装置回転台において、１回の操作で確実に正面を向けるためには、前記所定時間で前記検出手段が前記被検出部を検出しなかった場合、前記所定時間だけ前記モータを逆回転させ、その間に前記検出手段が前記被検出部を検出した場合、前記モータを停止させるようにすることが望ましい。
【００１１】
また上記の表示装置回転台において、前記操作部をリモコンとすることで利便性が向上する。
【００１２】
また上記の表示装置回転台において、前記操作部には、前記回転板を右方向に回転させるための右スイングキーと、前記回転板を左方向に回転させるための左スイングキーとが設けられ、前記回転板を正面位置に向ける旨の指示は、前記右スイングキー又は左スイングキーの２度押しとすることにより、簡単な操作で正面を向けることができる。
【００１３】
また上記の表示装置回転台において、前記検出手段を前記固定台に、前記被検出手段を前記回転板に設け、前記検出手段は、一端が前記固定台に固定される弾性体と、該弾性体の他端に固定される突起部と、前記突起部の底面及び前記固定台にそれぞれ対向して設けられた一対のスイッチ機構とを備え、前記被検出部は、前記突起部の一部が嵌る穴であり、前記突起部が前記穴以外の前記回転板に接している場合は、前記スイッチ機構が互いに接触しており、正面位置の非検出状態であり、前記突起部が前記穴に嵌った場合は、前記スイッチ機構が互いに離れることによって、正面位置を検出する構成とすることにより、簡単な構成で検出手段及び被検出手段を実現することができる。
【００１４】
また上記の表示装置回転台において、他の構成としては、前記固定台と前記回転板の間に設けられたベアリング及びベアリングホルダと、前記回転板に固定され前記モータからの駆動力を受けるギヤと、前記回転板に固定され前記表示装置を固定する支柱と、前記回転板を覆う回転カバーと、前記固定台を覆う固定カバーと、を備えることが望ましい。
【００１５】
また上記の表示装置回転台を備えた表示装置としてもよい。
【００１６】
本発明を具体化すると、固定台と、該固定台上に回転可能に設けられる回転板と、前記回転板に固定され表示装置を固定する支柱と、前記固定台と前記回転板の間に設けられたベアリング及びベアリングホルダと、該回転板を駆動するモータと、前記回転板に固定され前記モータからの駆動力を受けるギヤと、前記モータを制御する制御部と、該制御部へ操作入力するリモコンと、前記回転板を覆う回転カバーと、前記固定台を覆う固定カバーとを備えた表示装置回転台を有する表示装置において、前記固定台に検出手段を、前記回転板に被検出部を、前記回転板が正面位置に来たときに前記検出手段が前記被検出部を検出するように設け、前記検出手段は、一端が前記固定台に固定される弾性体と、該弾性体の他端に固定される突起部と、該突起部の底面及び前記固定台にそれぞれ対向して設けられた一対のスイッチ機構とを備え、前記被検出部は、前記突起部の一部が嵌る穴であり、
前記突起部が前記穴以外の前記回転板に接している場合は、前記スイッチ機構が互いに接触しており、正面位置の非検出状態であり、前記突起部が前記穴に嵌った場合は、前記スイッチ機構が互いに離れることによって、正面位置を検出し、前記リモコンには、前記回転板を右方向に回転させるための右スイングキーと、前記回転板を左方向に回転させるための左スイングキーとが設けられ、前記右スイングキー又は左スイングキーが２度押しされると、前記制御部は所定時間モータを駆動させ、その間に前記検出手段が前記被検出部を検出した場合、前記モータを停止させ、前記所定時間で前記検出手段が前記被検出部を検出しなかった場合、前記所定時間だけ前記モータを逆回転させ、その間に前記検出手段が前記被検出部を検出した場合、前記モータを停止させる構成となる。
【発明の効果】
【００１７】
本発明によれば、ユーザが行う簡単な操作と、検出手段及び被検出部という簡単な構成とで、表示装置を自動で正面に戻すことができる。その結果、ユーザは表示装置の角度を見ながら表示装置回転台を回転させる必要がないので利便性が向上する。
【発明を実施するための最良の形態】
【００１８】
図１は、表示装置回転台の分解斜視図である。表示装置回転台１０は、固定台１１と、回転板１２と、支柱１３と、ベアリング１４と、ベアリングホルダ１５と、モータ１６と、ギヤ１７と、回転カバー１８と、固定カバー１９と、検出手段２０と、被検出部２１と、制御部（不図示）と、操作部としてのリモコン（不図示）とを備えている。
【００１９】
固定台１１は、金属板からなり、表示装置回転台１０の土台となるものである。回転板１２は、金属製の円盤からなり、その中心の開口部が固定台１１の突起に挿入され、固定台１１上に回転可能に設けられる。支柱１３は、金属板からなり、ビスなどで回転板１２に垂直に固定される。また支柱１３には表示装置の本体を固定するようになっている。ベアリング１４は球状の金属からなる。ベアリングホルダ１５は、回転板１２よりも若干小径のドーナツ形状の樹脂部材であり、円周上に個々のベアリング１４を収容するために区切られている。そして、ベアリング１４を収容したベアリングホルダ１５は固定台１１と回転板１２との間に設けられる。そして、回転板１２が回転すると、その摩擦力によりベアリング１４及びベアリングホルダ１５が回転して回転の抵抗を軽減する。
【００２０】
モータ１６は、回転板１２を回転させるための駆動源であり、ギヤ１７など複数のギヤを介して回転板１２に駆動力を伝達している。ギヤ１７は、樹脂製又は金属製であり、回転板１２上面にビスなどで固定されており、例えば回転板１２が３０°回転可能な歯数を有している。回転カバー１８は樹脂製であり、回転板１２を覆い回転板１２とともに回転する化粧用のカバーである。回転カバー１８からは支柱１３が突出する。固定カバー１９は樹脂製であり、回転カバー１８が位置する部分が開口部となっており、固定台１１を覆い固定台１１にビスなどで固定される。
【００２１】
検出手段２０は、ベアリングホルダ１５の内側の固定台１１上に配設される。被検出部２１は、回転板１２が正面位置に来たときに検出手段２０が被検出部２１を検出するように回転板１２に設けられる。図２は、回転板１２が正面以外の位置にある場合の検出手段２０及び被検出部２１の側面図であり、図３は、回転板１２が正面位置にある場合の検出手段２０及び被検出部２１の側面図である。
【００２２】
検出手段２０は、一端が固定台１１に固定される弾性体２０ａと、弾性体２０ａの他端に固定される突起部２０ｂと、突起部２０ｂの底面及び固定台１１にそれぞれ対向して設けられた一対のスイッチ機構２０ｃとを備えている。弾性体２０ａとしては、バネやゴムなどを用いることができる。突起部２０ｂは、例えば半円球の樹脂を用いることができる。スイッチ機構２０ｃは、例えばライトタッチスイッチとそれに対向してスイッチを押さえる押部材とからなり、図３では、固定台１１側にライトタッチスイッチが、突起部２０ｂ側に押部材が設けられている。そして、スイッチ機構２０ｃは制御部へ接続され、スイッチが離れた際に検出するようになっている。
【００２３】
なお、押部材は必ずしも必要ではなく、突起部２０ｂの底面で代用してもよい。また、ライトタッチスイッチを突起部２０ｂ側に、押部材を固定台１１側に設けてもよい。その場合は、固定台１１の上面を押部材の代用としてもよい。
【００２４】
一方、被検出部２１は、突起部２０ｂの一部が嵌る回転板１２に形成された円形の穴である。この穴は回転板１２を貫通していてもしていなくてもよく、突起部２０ｂが嵌った際にスイッチが離れるような大きさであればよい。
【００２５】
図２に示すように、回転板１２が正面以外の位置にある場合は、突起部２０ｂが回転板１２の被検出部２１以外の部分に接し、スイッチ機構２０ｃが互いに接触しており、正面位置の非検出状態にある。一方、図３に示すように、回転板１２が正面位置にある場合は、突起部２０ｂが被検出部２１に嵌り、スイッチ機構２０ｃが互いに離れることによって、正面位置を検出する。
【００２６】
なお、検出手段２０及び被検出部２１の構成には特に限定はなく、例えば、検出手段２０としてフォトトランジスタ、被検出部２１として反射シールを採用してもよい。この場合、フォトトランジスタと反射シールとが対向する状態が正面位置になるようにすることで、フォトトランジスタの検出結果から正面位置を知ることができる。
【００２７】
また、制御部は、スイッチ機構２０ｃからの検出信号やユーザの操作指示によってモータ１６を制御するものである。また、リモコンは、回転板１２を右方向に回転させるための右スイングキー（不図示）と、回転板１２を左方向に回転させるための左スイングキー（不図示）をはじめ、表示装置の操作に必要な種々のキーを備えている。なお、リモコンと同様のキーを表示装置の操作部に設けてもよい。
【００２８】
次に、表示装置回転台１０の首振りを行うスイング機能について説明する。図４は、スイング機能に関する表示装置回転台１０の動作を示すフローチャートである。まず、ステップＳ１０において、操作部やリモコンが操作されて回転板１２を正面位置に向ける旨の指示があったか否かを判別する。回転板１２を正面位置に向ける旨の指示は、どのような操作とするかは特に限定はないが、右スイングキー又は左スイングキーの２度押しとすることが好ましい。また、右スイングキー又は左スイングキーの長押し（２秒以上）としてもよい。本実施形態では右スイングキー又は左スイングキーの２度押しを採用する。
【００２９】
次にステップＳ１１において、右回転か否かを判別する。ステップＳ１０で右スイングキーが操作された場合は右回転、左スイングキーが操作された場合は左回転と判別する。ステップＳ１１において右スイングキーが操作された場合は、ステップＳ１２へ進んで回転板１２が右回転するようにモータを駆動させる。一方、ステップＳ１１において左スイングキーが操作された場合は、ステップＳ１３へ進んで回転板１２が左回転するようにモータを駆動させる。
【００３０】
ステップＳ１２又はステップＳ１３からは、ステップＳ１４へ進んで正面位置を検出したか否かを判別する。正面位置の検出は、上述したように、検出手段２０が被検出部２１を検出することに基づいている。ステップＳ１４において正面位置が検出された場合は、ステップＳ１５へ進んで直ちにモータを停止する。これにより、正面位置で回転板１２が停止するので、表示装置は正面を向いた状態となる。
【００３１】
一方、ステップＳ１４において正面位置がまだ検出されない場合は、ステップＳ１６へ進んで回転を開始してから所定時間が経過したか否かを判別する。例えば、回転板１２の回転可能範囲（例えば３０°）が正面位置から右方向、左方向へ各６秒間である場合は、所定時間を６秒とすればよい。これは、現在の回転方向に正面位置がない場合にそれ以上その方向へ回転させようとしても回転可能範囲の限度であるためにモータに負担を掛けることになるとともに無駄であるからである。
【００３２】
ステップＳ１６において、所定時間が経過していなければステップＳ１４に戻る。一方、ステップＳ１６において、所定時間が経過していれば、ステップＳ１７へ進む。ステップＳ１７においては、モータを逆回転させることで回転板１２を逆回転させる。ステップＳ１７からはステップＳ１４に戻る。これは、所定時間内に正面位置が検出されなかったので、回転可能範囲の限度にあると判断し、逆回転させながら正面位置を探すためである。ステップＳ１７からステップＳ１４へ進んだ場合は所定時間が経過するまでに必ず正面位置が検出される。
【００３３】
このように上記の実施形態によれば、ユーザはスイングキーを２度押し操作するだけという簡単な操作と、検出手段２０及び被検出部２１という簡単な構成とで、表示装置を正面に戻すことができる。その結果、ユーザは表示装置の角度を見ながら表示装置回転台１０を回転させる必要がないので利便性が向上する。
【００３４】
なお、ステップＳ１７を省略し、ステップＳ１６で所定時間が経過した場合はステップＳ１５へ進むようにしてもよい。この仕様によれば、ユーザが操作した回転方向に正面位置がない場合は回転可能範囲の限度方向を向いた状態で停止することになるので、ユーザは次に逆方向のスイングキーを操作すれば、正面位置で停止させることができる。
【産業上の利用可能性】
【００３５】
本発明は、テレビやパソコンのディスプレイなどの表示装置を設置し、その表示装置を左右に自動回転させる表示装置回転台に利用することができる。また、また、その回転台が一体になった表示装置にも利用することができる。
【図面の簡単な説明】
【００３６】
【図１】表示装置回転台の分解斜視図である。
【図２】回転板が正面以外の位置にある場合の検出手段及び被検出部の側面図である。
【図３】回転板が正面位置にある場合の検出手段及び被検出部の側面図である。
【図４】スイング機能に関する表示装置回転台の動作を示すフローチャートである。
【符号の説明】
【００３７】
１０    表示装置回転台
１１    固定台
１２    回転板
１３    支柱
１４    ベアリング
１５    ベアリングホルダ
１６    モータ
１７    ギヤ
１８    回転カバー
１９    固定カバー
２０    検出手段
２０ａ    弾性体
２０ｂ    突起部
２０ｃ    スイッチ機構
２１    被検出部
【図１】
2008197298.tif 000003
【図２】
2008197298.tif 000004
【図３】
2008197298.tif 000005
【図４】
2008197298.tif 000006